(57)【要約】【課題】簡単な操作で、投稿情報の表示順序を調製することができる情報提供サーバ及び情報提供プログラムを提供する。【解決手段】電子メール受信部３１０は、設定された四種類のメールアドレスを宛先とする電子メールを受信する。情報抽出部３３０は、受信した電子メールから、宛先アドレスや投稿情報等を抽出する。投稿時刻決定部３４０は、同一の投稿情報を電子掲示板に投稿する回数やタイミングを定める複数種類の投稿ルールを記憶しており、採用する投稿ルールを受信メールアドレスに基づいて判断して、投稿日時を決定する。配信部３６０は、投稿時刻決定部３４０が決定した投稿日時に基づいて、情報抽出部３３０が抽出した投稿情報を、投稿ウェブサイトに表示する。【選択図】図３
2013214175.tif 000002
【特許請求の範囲】
【請求項１】
ユーザが投稿した投稿情報を投稿日時順に表示する投稿ウェブサイトを、インターネットを介して提供する情報提供サーバであって、
電子メールを受信する電子メール受信部と、
前記電子メール受信部が受信した前記電子メールから前記投稿情報を抽出する情報抽出部と、
同一の前記投稿情報を投稿する回数及びタイミングを定める複数種類の投稿ルールを記憶し、前記電子メール受信部が受信した前記電子メールを用いていずれかの前記投稿ルールを選択し、選択された投稿ルールに従って投稿日時を決定する投稿時刻決定部と、
該投稿時刻決定部が決定した該投稿日時に達したときに、前記情報抽出部が抽出した前記投稿情報を、前記投稿ウェブサイトに表示する配信部と、
を備えることを特徴とする情報提供サーバ。
【請求項２】
前記電子メール受信部に、複数のメールアドレスが設定され、
前記情報抽出部は、前記電子メール受信部が受信した前記電子メールから、宛先アドレスを抽出し、
前記投稿時刻決定部は、前記情報抽出部が抽出した前記宛先アドレスに基づいて、いずれかの前記投稿ルールを選択する、
ことを特徴とする請求項１に記載の情報提供サーバ。
【請求項３】
前記複数の投稿ルールが、同一の前記投稿情報を投稿する処理を所定時刻毎又は所定時間間隔毎に繰り返す投稿ルールを含むことを特徴とする請求項１又は２に記載の情報提供サーバ。
【請求項４】
前記配信部が、前記投稿ウェブサイトに表示される前記投稿情報を、所定の時間周期で全て削除することを特徴とする請求項１乃至３の何れかに記載の情報提供サーバ。
【請求項５】
コンピュータに、ユーザが投稿した投稿情報を投稿日時順に表示する投稿ウェブサイトを、インターネットを介して提供させる情報提供プログラムであって、
メールアドレスを情報提供サーバに設定する設定ステップと、
同一の前記投稿情報を投稿する回数及びタイミングを定める複数種類の投稿ルールを内部メモリに記憶する記憶ステップと、
前記メールアドレスを宛先とする電子メールを受信する受信ステップと、
該受信ステップで受信した前記電子メールから前記投稿情報を抽出する抽出ステップと、
前記電子メールを用いていずれかの前記投稿ルールを選択し、選択された投稿ルールに従って投稿日時を決定する決定ステップと、
該決定ステップで決定した該投稿日時に達したときに、前記情報抽出部が抽出した前記投稿情報を、前記投稿ウェブサイトに表示する配信ステップと、
をコンピュータに実行させることを特徴とする情報提供プログラム。
【発明の詳細な説明】
【技術分野】
【０００１】
本発明は、例えば企業や商店等が提供する商品やサービスに関する情報を、インターネットを介して消費者等に提供するための、情報提供サーバ及び情報提供プログラムに関する。
【背景技術】
【０００２】
従来より、インターネットを用いて商品やサービス等を紹介するためのポータルサイトが、種々知られている。この種のポータルサイトでは、多くの場合、地域や業種等の分類毎にトップ画面が設けられ、そのトップ画面には提供者（企業や商店等）毎の情報（名称や写真、概要説明等）が、所定の順序で表示される。
【０００３】
一方、インターネットを用いて宣伝広告を行うための他の手法として、ウェブ・ブログを利用する方法が知られている。周知のように、多くのウェブ・ブログでは、投稿された記事が、投稿日時の新しいものから順に表示される。また、多くのウェブ・ブログ・サービスでは、電子メールを用いて記事を投稿することができる。すなわち、利用者が電子メールの本文欄に投稿情報を入力してウェブ・ブログ運営サーバに送信することで、該ウェブ・ブログへの投稿を行うことができる（下記特許文献１の段落［００５２］−［００５３］参照）。ウェブ・ブログを利用することにより、企業等は、短時間の簡単な操作によって、所望の情報をウェブサイトに掲載することができる。
【先行技術文献】
【特許文献】
【０００４】
【特許文献１】特開２００８−２１７３４４号公報
【発明の概要】
【発明が解決しようとする課題】
【０００５】
企業等が、インターネットを利用して、消費者等に、短期間のみ有益な情報を、頻繁に提供したい場合がある。例えば、小売店において、その日の特売品に関する情報は、毎日のように発信する必要があるが、その日の閉店後には情報価値を失う。また、例えば特定商品の在庫切れに関する情報は、当該商品が再入荷されれば誤った情報となり、再入荷された旨の情報を新たに発信する必要が生じる。このような短期間の情報を頻繁にインターネットで発信したい場合には、ポータルサイトよりもウェブ・ブログの方が、便利である。すなわち、ウェブ・ブログは、簡単な操作で投稿順に情報を表示することができるため、新規な情報を頻繁に提供する手段として優れている。
【０００６】
その一方で、ウェブ・ブログは、投稿情報が投稿順に表示されるため、短期間有益な情報と中・長期間有益な情報とが混在する場合に、閲覧者に分かり難いという欠点を有する。例えば、「今日の特売品」に関する情報と「今月の割引セール」に関する情報とを同じウェブ・ブログで発信したい場合、前者に関する新規な投稿が毎日繰り返されることで、後者の掲載位置は下位（投稿日時の新しいものから順に表示される場合は、ウェブ画面の下方）に移行する。この結果、有益な「今日の特売品」情報と有益な「今月の割引セール」情報との間に、既に無益となった過去の「今日の特売品」情報が表示されることになる。
【０００７】
同様にして、ウェブ・ブログは、緊急性や重要性の高い情報が、他の投稿のために表示順位を下げて、閲覧者に気付き難くなるという欠点もある。
【０００８】
このような欠点を解消するためには、無益となった情報を、手動でウェブ・ブログから削除すれば良い。しかしながら、その都度手動で削除するのでは、操作の手間が増大して、上述のようなウェブ・ブログの利点が損なわれる。
【０００９】
本発明の目的は、簡単な操作で、投稿情報の表示順序を調製することができる情報提供サーバ及び情報提供プログラムを提供する点にある。
【課題を解決するための手段】
【００１０】
本発明に係る情報提供サーバは、ユーザが投稿した投稿情報を投稿日時順に表示する投稿ウェブサイトを、インターネットを介して提供する情報提供サーバであって、電子メールを受信する電子メール受信部と、前記電子メール受信部が受信した前記電子メールから前記投稿情報を抽出する情報抽出部と、同一の前記投稿情報を投稿する回数及びタイミングを定める複数種類の投稿ルールを記憶し、前記電子メール受信部が受信した前記電子メールを用いていずれかの前記投稿ルールを選択し、選択された投稿ルールに従って投稿日時を決定する投稿時刻決定部と、該投稿時刻決定部が決定した該投稿日時に達したときに、前記情報抽出部が抽出した前記投稿情報を、前記投稿ウェブサイトに表示する配信部とを備える。
【００１１】
本発明の情報提供サーバにおいては、前記電子メール受信部に複数のメールアドレスが設定され、前記情報抽出部は前記電子メール受信部が受信した前記電子メールから宛先アドレスを抽出し、前記投稿時刻決定部は前記情報抽出部が抽出した前記宛先アドレスに基づいていずれかの前記投稿ルールを選択することが望ましい。
【００１２】
本発明の情報提供サーバにおいては、前記複数の投稿ルールが、同一の前記投稿情報を投稿する処理を所定時刻毎又は所定時間間隔毎に繰り返す投稿ルールを含むことが望ましい。
【００１３】
本発明の情報提供サーバにおいては、前記配信部が、前記投稿ウェブサイトに表示される前記投稿情報を、所定の時間周期で全て削除することことが望ましい。
【００１４】
本発明に係る情報提供プログラムは、コンピュータに、ユーザが投稿した投稿情報を投稿日時順に表示する投稿ウェブサイトを、インターネットを介して提供させる情報提供プログラムであって、メールアドレスを情報提供サーバに設定する設定ステップと、同一の前記投稿情報を投稿する回数及びタイミングを定める複数種類の投稿ルールを内部メモリに記憶する記憶ステップと、前記メールアドレスを宛先とする電子メールを受信する受信ステップと、該受信ステップで受信した前記電子メールから前記投稿情報を抽出する抽出ステップと、前記電子メールを用いていずれかの前記投稿ルールを選択し、選択された投稿ルールに従って投稿日時を決定する決定ステップと、該決定ステップで決定した該投稿日時に達したときに、前記情報抽出部が抽出した前記投稿情報を、前記投稿ウェブサイトに表示する配信ステップとをコンピュータに実行させることを特徴とする。  
【発明の効果】
【００１５】
本発明に係る情報提供サーバによれば、同一の前記投稿情報を投稿する回数及びタイミングを定める投稿ルールを複数種類設けたので、複数回の投稿によって、投稿情報の表示順序を調製することが可能となる。また、使用する投稿ルールを投稿用電子メールを用いて選択することができるので、投稿者は所望の投稿ルールを容易に選択することができる。
【００１６】
本願発明の情報提供サーバにおいて、宛先メールアドレスによって投稿ルールを特定することにより、ユーザは投稿ルールを簡単に指定することができる。
【００１７】
本発明の情報提供サーバにおいて、同一の前記投稿情報を投稿する処理を所定時刻毎又は指定時間間隔毎に繰り返す投稿ルールを含むことにより、該投稿情報の表示順位を、所定タイミングで上位（投稿日時の新しいものから順に表示される場合は、ウェブ画面の上方）に変更することができる。
【００１８】
本発明の情報提供サーバにおいて、投稿ウェブサイトに表示される前記投稿情報を所定の時間周期で全て削除することにより、短期間で情報価値が無くなる投稿を削除して閲覧者の利便性を向上させることができる。一方、中長期間の情報価値がある投稿は、同一の前記投稿情報を投稿する回数及びタイミングを適当に定めることで、所望期間中、表示を維持することができる。
【００１９】
本発明の情報提供サーバにおいては、複数種類の投稿ウェブサイトが提供される場合に、これらの投稿ウェブサイト毎に電子メール受信部に登録された複数のメールアドレスが異ならせることにより、該アドレスによって、投稿ウェブサイトの選択と投稿ルールの選択とを同時に行うことができる。
【００２０】
本発明に係る情報提供プログラムによれば、本発明の情報提供サーバをコンピュータで実現することができる。
【図面の簡単な説明】
【００２１】
【図１】実施の形態に係るネットワーク構成を示す概念図である。
【図２】実施の形態に係る情報提供サーバの動作を説明するための表である。
【図３】実施の形態に係る情報提供サーバの機能構成を概念的に示すブロック図である。
【発明を実施するための形態】
【００２２】
以下、本発明の実施の形態１について、図面を用いて説明する。
【００２３】
図１は、この実施の形態に係るネットワーク構成を示す概念図である。
【００２４】
図１に示したように、本実施形態のネットワーク１００は、情報提供サーバ１１０と、会員端末１２０，１２０，・・・と、閲覧者端末１３０，１３０，・・・と、運営本部端末１４０と、代理店端末１５０と、インターネット１６０とを含む。
【００２５】
情報提供サーバ１１０は、会員端末１２０から、インターネット１６０を介して投稿情報を受信すると共に、その投稿情報を投稿ウェブサイト（この実施の形態では、電子掲示板）に投稿するための処理を行う。投稿処理の具体的な内容については、後述する。
【００２６】
会員端末１２０は、インターネット１６０を介して、情報提供サーバ１１０に対する投稿情報の送信を行う。本実施形態では、情報提供サーバ１１０に投稿情報を送信する手段として、電子メールを使用する。
【００２７】
閲覧者端末１３０は、インターネット１６０を介して情報提供サーバ１１０にアクセスすることにより、この実施の形態に係るウェブサイトを閲覧する。
【００２８】
運営本部端末１４０は、インターネット１６０を介して情報提供サーバ１１０にアクセスすることにより、各投稿ウェブサイトに対して一斉に投稿を行うことができる。例えば、キャンペーンやイベント等の告知をするときに、この運営本部端末１４０を使用することができる。
【００２９】
代理店端末１５０は、上述の会員端末１２０と同じ機能を有する。例えば、代理店が、会員を募るためのプレゼンテーションに、この代理店端末１５０を使用することができる。
【００３０】
情報提供サーバ１１０が提供するウェブサイトは、ツリー構造のエリア区分に分けられる。エリア区分は、例えば自治体単位であっても良いし、最寄り駅単位であっても良いし、その他の単位であっても良いし、これらの組み合わせであっても良い。この実施の形態では、都道府県＞市＞区＞最寄り駅の順、都道府県＞市＞最寄り駅の順、都道府県＞町又は村の順等で、エリア区分の階層を設定する。なお、一つの駅が複数の区にまたがっている場合等には、二通りの経路でその駅のエリア区分に到達できるようにすれば良い。
【００３１】
この実施の形態に係るウェブサイトは、トップページ、記事閲覧ページ、会員紹介ページ等のウェブページを含む。以下、これらのページについて説明する。
（１）トップページ
【００３２】
トップページとしては、例えば日本語のトップページと英語のトップページとが設けられる。トップページには、閲覧者が望むウェブページに遷移するためのＵＩ(Userinter face)が設けられる。例えば、閲覧者は、トップページから、都道府県→市町村→区→最寄り駅の順で、所望エリアの電子掲示板ページ（後述）にたどり着くことができる。
【００３３】
更に、トップページには、言語を切り換えるためのＵＩも設けられる。例えば、日本語のトップページで英語が選択された場合、閲覧者端末１３０の画面は英語のトップページに切り替わる。そして、閲覧者は、英語トップページから、都道府県→市町村→区→最寄り駅の順で、所望エリアの英語掲示板ページ（後述）にたどり着くことができる。
【００３４】
更に、トップページには、「友達紹介」ボタン（この実施の形態に係るウェブページを知人に紹介するための電子メール送信画面を表示させるボタン）、「お客様の声」ボタン（ウェブサイト運営者や会員へのメッセージ送信画面を表示させるボタン）等を設けることができる。
（２）記事閲覧ページ
【００３５】
この実施の形態では、エリア区分毎に、記事閲覧ページが設けられる。
【００３６】
電子掲示板は、最下層のエリア区分（例えば、上述の「最寄り駅」等）に対応する記事閲覧ページ毎に設けられる。会員は、予め自己が登録したエリア区分の電子掲示板に対して、投稿を行うことができる。電子掲示板としては、日本語で投稿するための電子掲示板（以下、「日本語掲示板」と記す）及び英語で投稿するための電子掲示板（以下、「英語掲示板」と記す）が設けられる。
【００３７】
更に、この実施の形態では、「都道府県」単位の記事閲覧ペ−ジ、「市町村」単位の記事閲覧ページ及び「区」単位の記事閲覧ページ等を有する。これらの記事閲覧ページには、そのエリア区分に対応する電子掲示板（そのエリア区分に含まれる全ての最下層エリア区分の電子掲示板）に投稿された記事が、投稿日時順に全て表示される。例えば、神奈川県横浜市神奈川区の記事閲覧ページは、神奈川区内の全駅に対応する全ての日本語掲示板の投稿記事を日本語記事欄として投稿日時順に表示するとともに、当該神奈川区の全駅に対応する全ての英語掲示板の投稿記事を英語記事欄として投稿日時順に表示する。また、神奈川県横浜市の記事閲覧ページには、横浜市の全区の全駅に対応する全ての電子掲示板の投稿記事が、日本語掲示板と英語掲示板に分けて、投稿日時順に表示される。
【００３８】
この実施の形態では、電子掲示板として、ウェブ・ブログ形式のものを使用する。投稿された記事は、投稿日時順に表示される。本実施形態では、投稿された記事を、投稿日時が新しい順に表示することとする。但し、投稿された記事を、投稿日時が古い順に表示する形式のものを採用してもよい。本願では、投稿日時の新しい記事を、「上位の記事」と表現する。
【００３９】
この実施の形態では、会員が情報提供サーバ１１０に電子メールを送信することによって、電子掲示板への投稿が行われる。会員は、会員登録に際して、１個又は複数（この実施の形態では、最大３個とする）のメールアドレスを、情報管理サーバ１１０に登録する。後述のように、情報管理サーバ１１０は、登録されたメールアドレスを発信元アドレスとする電子メールのみを、正規な電子メールと判断する。
【００４０】
投稿情報は、電子メールの本文欄に記入される。この実施の形態では、電子メールの本文欄に記入された文字情報のうち、最初の１２文字が電子掲示板のタイトル欄に記入され、次の１３８文字（すなわち、１３文字目から１５０文字目まで）が電子掲示板の本文欄に記入される。但し、他の方法で、電子掲示板とタイトル欄及び本文欄を決定してもよい。投稿情報は、文字情報のみであっても良いし、例えば写真等の他の情報を含んでいても良い。
【００４１】
情報管理サーバ１１０には、電子掲示板に同一記事を投稿する回数及びタイミングを決定するための複数種類のルール（以下、「投稿ルール」と記す）が設定される。この実施の形態では、投稿ルールとして、「リアルタイム投稿」及び「繰り返し投稿」が設定される。ここで、「リアルタイム投稿」とは、情報管理サーバ１１０が受信した投稿情報を、投稿タイミングを考慮すること無く、そのまま一回だけ投稿することを意味する。すなわち、リアルタイム投稿された投稿情報は、若干の処理時間を経て、電子掲示板に投稿される。一方、「繰り返し投稿」とは、情報管理サーバ１１０が受信した投稿情報を、所定のタイミングで複数回繰り返して投稿することを意味する。投稿を行うタイミングは、時刻で定めても良いし、時間間隔で定めても良い。時刻による繰り返し投稿としては、例えば、午前８時、午前１１時及び午後４時の投稿を五日間繰り返すという投稿ルールを採用できる。一方、時間間隔による繰り返し投稿としては、例えば、６０分毎の投稿を午前８時から翌日午前２時まで繰り返すという投稿ルールを採用することができる。繰り返し投稿の投稿ルールは、情報管理サーバ１１０の運営者が予め定めることとしても良いし、該運営者が定めた複数種類の投稿ルールから１種類又は複数種類を会員に選択させることとしても良いし、会員が自由に定めることとしても良い。この実施の形態では、午前８時、午前１１時及び午後４時の投稿を五日間繰り返すという投稿ルール（以下、「指定時刻繰り返し投稿」と記す）と、６０分毎の投稿を午前８時から翌日午前２時まで繰り返すという投稿ルール（以下、「指定周期繰り返し投稿」と記す）の二種類を実行する機能を情報管理サーバ１１０に設けておき、その一方を登録会員に選択させることとする。
【００４２】
この実施の形態では、日本語掲示板／英語掲示板の選択と、リアルタイム投稿／繰り返し投稿の選択とを、会員から送信される電子メールの宛先アドレスに従って行う。このために、情報提供サーバ１１０は、投稿情報を受信するためのメールアドレスを、四種類有している。図２に示したように、会員は、日本語掲示板にリアルタイム投稿する際には宛先アドレスをＡＤＤ１とし、日本語掲示板に繰り返し投稿する際には宛先アドレスをＡＤＤ２とし、英語掲示板にリアルタイム投稿する際には宛先アドレスをＡＤＤ３とし、英語掲示板に繰り返し投稿する際には宛先アドレスをＡＤＤ４とする。
【００４３】
一方、会員が投稿する電子掲示板のエリア区分は、予め、情報提供サーバ１１０に設定される。上述のように、この実施の形態では、会員のメールアドレスが、情報提供サーバ１１０に登録される。そして、情報提供サーバ１１０は、電子メールの送信元アドレスによって登録会員を特定し、更に、登録会員に対応する最下層エリア区分（すなわち、上述の「最寄り駅」等）を特定する（後述）。例えば、特定駅の周辺住民を主たる購買者とする小売店舗等は、当該店舗の最寄り駅に対応するエリア区分に登録すれば良い。一方、市役所や市の施設等は、その市に対応する最下層エリア区分の全てに登録すれば良い。このように、会員に対応するエリア区分の数は、１個でも良いし２個以上でも良い。一つの会員に対して２個以上のエリア区分が設定された場合は、設定された全てのエリア区分の電子掲示板に対して、同一の投稿がほぼ同時に行われる。
【００４４】
加えて、この実施の形態に係る情報提供サーバ１１０は、投稿情報を記事として投稿する際、該投稿記事に、会員の名称（店舗名等）や、会員紹介ページ（後述）へのリンク、会員が自分で開設したウェブサイトへのリンク、画像（写真やロゴ等）等を、自動的に追加することができる。
（３）会員紹介ページ
【００４５】
会員紹介用のウェブページ（会員紹介ページ）は、会員毎に設けられる。この会員紹介ページには、当該会員の名称や、地図、紹介文、写真等を掲載することができる。
【００４６】
また、会員紹介ページには、その会員に対応する電子掲示板の投稿記事の内、その会員が投稿した最新記事のみが表示される。最新記事に画像情報（写真やロゴ等）が付加されている場合には、その画像も表示することができる。新しい投稿が行われたときは、表示されていた記事や画像情報等が削除されて、新しいものに置き換えられる。
【００４７】
更に、会員紹介ページには、「お客様の声」ボタンが表示される。このボタンを選択することにより、閲覧者端末１３０の表示画面に、その会員へのメッセージ送信画面を表示させることができる。
【００４８】
メッセージ送信画面を利用してメッセージが会員に送信された場合に、そのメッセージに対して会員が返答をすると、当該メッセージ及び返答が、当該会員紹介ページに表示される。また、これらメッセージ及び返答は、対応する電子掲示板にも、自動的に表示される。例えば、「お客様の声」がその会員に対する苦情や要望であった場合には、その苦情や要望が解決されたことを示す投稿として、会員紹介ページ及び電子掲示板に掲示することができる。
【００４９】
更に、会員が自治体等の場合には、会員紹介ページに、緊急時用のボタンを設けることができる。このボタンを選択することにより、閲覧者端末１３０の表示画面に、救助要請のメッセージ送信画面を表示させることができる。そして、会員である自治体が救助要請メッセージを電子掲示板に反映させることにより、閲覧者の援助を要請することができる。
【００５０】
図３は、この実施の形態に係る情報提供サーバ１１０の機能構成及び動作を概略的に示す概念図である。図３に示したように、情報提供サーバ１１０は、電子メール受信部３１０、記憶部３２０、情報抽出部３３０、投稿時刻決定部３４０、記事生成部３５０及び配信部３６０を備えている。
【００５１】
図３において、電子メール受信部３１０は、インターネット１３０を介して、会員端末１２０から、投稿用の電子メールを受信する。上述のように、電子メール受信部３１０に、四種類のメールアドレスＡ１〜Ａ４が設定されている（図２参照）。すなわち、これら四種類のメールアドレスを宛先アドレスとする電子メールは、電子メール受信部３１０によって受信される。
【００５２】
記憶部３２０は、ウェブサイトの運営に必要な情報である、会員マスタ情報３２０ａ、記事テーブル３２０ｂ、ユーザコメントテーブル３２０ｃ、アクセスログテーブル３２０ｄ、バッチテーブル３２０ｅ、自動配信記事マスタ情報３２０ｆ、管理者マスタ情報３２０ｇ、エリアマスタ情報３２０ｈ、会計マスタ情報３２０ｉ、請求先マスタ情報３２０ｊ、会員エリアマスタ情報３２０ｋ、会社マスタ情報３２０ｌ等が記憶される。
【００５３】
会員マスタ情報３２０ａは、会員登録された店舗、自治体等の名称やＩＤ（すなわち、識別番号）、メールアドレス（当該会員が投稿情報を送信する際の送信元アドレスとして使用されるメールアドレス）、会費支払い状況の情報等を含む。上述のように、この実施の形態では、会員のメールアドレスを最大３個まで登録できる。
【００５４】
記事テーブル３２０ｂは、会員から電子メールで受信した投稿情報（タイトル、本文、写真等）が格納されるテーブルである。また、配信用投稿情報（電子メールで受信した投稿情報に店舗名等が付加された投稿情報、後述）も、記事テーブル３２０ｂに格納される。
【００５５】
ユーザコメントテーブル３２０ｃは、会員紹介ページ（上述）のメッセージ送信画面を用いて閲覧者端末１３０から送信されたメッセージを記憶する。
【００５６】
アクセスログテーブル３２０ｄは、ウェブサイトの各ページ（トップページ、それぞれの記事閲覧ページ、それぞれの会員紹介ページ等）に対するアクセスログを記憶する。
【００５７】
バッチテーブル３２０ｅは、各会員のＩＤ毎に、設定された投稿ルール（上述）を記憶する。加えて、投稿ルールとして繰り返し投稿（指定時刻繰り返し投稿又は指定周期繰り返し投稿）が設定されている場合には、この投稿情報の投稿処理を行う日時が、バッチテーブル３２０ｅに記憶される。
【００５８】
自動配信記事マスタ情報３２０ｆは、会員ＩＤ毎に、会員の名称（店舗名等）や、会員紹介ページへのリンク、会員が自分で開設したウェブサイトへのリンク等を記憶する。配信用投稿情報（実際に電子掲示板に投稿される記事）を作成する際には、電子メールから抽出された投稿情報に、自動配信記事マスタ情報３２０ｆから読み出された情報が、付加される。上述のように、作成後の投稿記事は、記事テーブル３２０ｂに保存される。
【００５９】
管理者マスタ情報３２０ｇは、複数の管理者が本ウェブサイトを管理するための必要情報である。例えば、代理店を介して加入した会員がいるような場合、管理者マスタ情報３２０ｇを用いて、その会員の登録料請求先等をその代理店が管理できる。
【００６０】
エリアマスタ情報３２０ｈは、エリア区分のツリー構造（都道府県＞市＞区＞最寄り駅の階層構造、都道府県＞市＞最寄り駅の階層構造、都道府県＞町又は村の階層構造等）を示す情報である。
【００６１】
会計マスタ情報３２０ｉは、会員毎の会計処理に関する情報である。この情報には、例えば、会員登録を有料とする場合の、請求先、会社名、住所電話番号、ファクシミリ番号、メールアドレス（会員と連絡を取る場合のメールアドレス）、代表者名、担当部署、担当者名、銀行口座番号、契約年月日、契約形態（直接契約、代理店経由の契約の区別等）、契約金額等の情報等が含まれる。
【００６２】
請求先マスタ情報３２０ｊは、会計マスタ情報３２０ｉに記憶された各会員に対応付けられた、会員ＩＤ、請求者ＩＤ、契約確認年月日、支払い情報フラグ（支払いが無いためにサービスを停止する場合に無効にされるフラグ）等の情報を含んでいる。
【００６３】
会員エリアマスタ情報３２０ｋは、各会員のＩＤと登録最下層エリア区分との関係を含む。すなわち、この会員エリアマスタ情報３２０ｋにより、各会員に対応する電子掲示板が特定される。
【００６４】
会社マスタ情報３２０ｌは、各会員及び各代理店に関する情報、例えば、ＩＤ、会員／代理店の区別、契約内容、会員登録時の代理店名（運営者との直接契約の場合はその旨）、連絡先等の情報を含む。この情報は、会員からの料金徴収や、代理店への料金支払い等に利用される。
【００６５】
情報抽出部３３０は、電子メール受信部３１０が受信した電子メールから、発信元アドレス、宛先アドレス及び投稿情報を抽出する。上述の説明から解るように、「宛先アドレス」は、電子メール受信部３１０に登録されたメールアドレスＡ１〜Ａ４の何れかである。一方、「投稿情報」は、電子メールの本文欄等に記載された情報である。抽出された投稿情報は、記事テーブル３２０ｂに格納される。
【００６６】
投稿時刻決定部３４０は、情報抽出部３３０が抽出した宛先アドレスに基づいて、投稿する電子掲示板（日本語掲示板又は英語掲示板）及び投稿ルール（リアルタイム投稿又は繰り返し投稿）を特定する（図２参照）。また、投稿時刻決定部３４０は、電子メールの発信元アドレスを用いて、会員マスタ情報３２０ａに登録された会員から、当該電子メールを送信した会員を特定する。さらに、上記請求先マスタ情報３２０ｊ等をチェックすることにより、その電子メールに基づく投稿を行うか否かを決定する。投稿を行う場合、投稿ルールがリアルタイム投稿であれば、投稿時刻決定部３４０は、バッチテーブル３２０ｅにその旨を書き込む。一方、繰り返し投稿の場合、投稿時刻決定部３４０は、指定時刻繰り返し投稿／指定周期繰り返し投稿の区別等の情報を当該会員の会員マスタ情報３２０ａ等から読み出して、投稿日時を演算し、演算結果をバッチテーブル３２０ｅに書き込む。例えば、投稿ルールが指定時刻繰り返し投稿（すなわち、午前８時、午前１１時及び午後４時の投稿を五日間繰り返すという投稿ルール）であり且つ電子メール受信時刻が４月１日午後５時の場合であれば、投稿日時として４月１日〜５日の午前８時、午前１１及び午後４時がバッチテーブル３２０ｅに書き込まれる。
【００６７】
記事生成部３５０は、記事テーブル３２０ｂに格納された投稿情報（情報抽出部３３０が抽出した投稿情報）と自動配信記事マスタ情報３２０ｆに格納された情報とを用いて、配信用の投稿情報を作成する。このとき、電子メールに添付された写真等を配信用投稿情報に含ませることができるが、写真等が添付されていない場合に予め設定された画像（写真やロゴ等）を使用することにしても良い。そして、記事生成部３５０は、作成した配信用投稿情報を、記事テーブル３２０ｂに格納する。
【００６８】
配信部３６０は、各電子掲示板を閲覧者端末１３０に表示させるための電子データを生成する。配信部３６０は、記事テーブル３２０ｂに記憶された配信用投稿情報を、バッチテーブル３２０ｅに記憶された日時に投稿された投稿記事として処理する。そして、配信部３６０は、閲覧者端末１３０からアクセスがあったときに、そのアクセスに対応する電子掲示板の電子データを、当該閲覧者端末１３０に配信する。
【００６９】
この実施の形態では、配信部３６０が、毎日所定時刻（例えば、午前２時）に、電子掲示板に掲載された記事を自動的に全て削除する。これにより、前日に投稿された投稿は全て表示されなくなるので、情報価値を失った古い投稿が、閲覧者に誤解を与えるおそれは無い。このため、会員がその日のリアルタイム投稿を電子メールで送信するのは、午前２時以降とすればよい。その後、翌朝の例えば午前８時から、繰り返し投稿による新たな投稿が開始される。この実施の形態では、複数日に渡って情報価値がある投稿は「繰り返し投稿」とすればよいので、毎日電子掲示板に掲載された記事を自動的に全て削除したときに、無価値な情報のみ非掲示にすることが可能である。
【００７０】
以上説明したように、この実施の形態に係る情報提供サーバ１１０によれば、同一の投稿情報を所定のタイミングで自動的に複数回投稿する投稿することができる。これにより、この実施の形態によれば、会員（すなわち、投稿者）の負担を増大させること無しに、投稿の表示順序を調製することが可能となる。
【００７１】
また、使用する投稿ルール（リアルタイム投稿又は繰り返し投稿）を電子メールの宛先アドレスによって選択することができるので、会員は、所望の投稿ルールを容易に選択することができる。
【００７２】
また、日本語掲示板への投稿と英語掲示板への投稿とを電子メールの宛先アドレスによって選択することができるので、会員は、投稿する電子掲示板を容易に選択することができる。
【００７３】
加えて、この実施形態では、最下層のエリア区分毎に電子掲示板を設けると共に、最下層以外のエリア区分の閲覧ページで当該エリア区分に対応する電子掲示板に投稿された記事を投稿日時順に全て表示することとした。このため、閲覧者は、任意の範囲の広域エリア区分に対応する投稿を、容易に閲覧することができる。
【符号の説明】
【００７４】
１００  ネットワーク
１１０  情報提供サーバ
１２０  会員端末
１３０  閲覧者端末
１４０  運営本部端末
１５０  代理店端末
１６０  インターネット
３１０  電子メール受信部
３２０  記憶部
３２０ａ  会員マスタ情報
３２０ｂ  記事テーブル
３２０ｃ  ユーザコメントテーブル
３２０ｄ  アクセスログテーブル
３２０ｅ  バッチテーブル
３２０ｆ  自動配信記事マスタ情報
３２０ｇ  管理者マスタ情報
３２０ｈ  エリアマスタ情報
３２０ｉ  会計マスタ情報
３２０ｊ  請求先マスタ情報
３２０ｋ  会員エリアマスタ情報
３２０ｌ  会社マスタ情報
３３０  情報抽出部
３４０  投稿時刻決定部
３５０  記事生成部
３６０  配信部
【図１】
2013214175.tif 000003
【図２】
2013214175.tif 000004
【図３】
2013214175.tif 000005
【手続補正書】
【提出日】平成24年4月5日(2012.4.5)
【手続補正１】
【補正対象書類名】図面
【補正対象項目名】図１
【補正方法】変更
【補正の内容】
【図１】
2013214175.tif 000006
【手続補正２】
【補正対象書類名】図面
【補正対象項目名】図３
【補正方法】変更
【補正の内容】
【図３】
2013214175.tif 000007